(57)【要約】【課題】スライドする遮蔽部材と、開口が形成される側壁との間にできる隙間からの塵埃等の進入を抑制でき、防塵性を改善できる記録テープカートリッジの提供を課題とする。【解決手段】記録テープＴが巻装されたリール２０を回転可能に単一で収容するケース１２と、記録テープＴの端部に取り付けられたリーダー部材３０を引き出すためにケース１２の側壁１２Ｂに形成された開口１８を、側壁１２Ｂの内側又は外側でスライドして開閉する遮蔽部材５０と、ケース１２に突設され、遮蔽部材５０が開口１８を閉塞したときに、遮蔽部材５０を側壁１２Ｂ側へ付勢する付勢突起１００と、を有する記録テープカートリッジ１０とする。【選択図】図５
2010067318.tif 000002
【特許請求の範囲】
【請求項１】
記録テープが巻装されたリールを回転可能に単一で収容するケースと、
前記記録テープの端部に取り付けられたリーダー部材を引き出すために前記ケースの側壁に形成された開口を、該側壁の内側又は外側でスライドして開閉する遮蔽部材と、
前記ケースに突設され、前記遮蔽部材が前記開口を閉塞したときに、該遮蔽部材を前記側壁側へ付勢する付勢突起と、
を有することを特徴とする記録テープカートリッジ。
【請求項２】
前記付勢突起は、前記開口を構成する前記側壁の辺縁部近傍に突設されていることを特徴とする請求項１に記載の記録テープカートリッジ。
【請求項３】
前記開口の閉塞時に前記側壁と前記付勢突起との間に介在する前記遮蔽部材の一部の最大板厚が、前記側壁と前記付勢突起との間隔以上の厚さであることを特徴とする請求項１又は請求項２に記載の記録テープカートリッジ。
【発明の詳細な説明】
【技術分野】
【０００１】
本発明は、主にコンピューター等の記録再生媒体として使用される磁気テープ等の記録テープが巻装されたリールをケース内に単一で収容してなる記録テープカートリッジに関する。
【背景技術】
【０００２】
従来から、コンピューター等のデータ記録再生媒体として使用されている磁気テープ等の記録テープをリールに巻装し、そのリールをケース内に単一で収容してなる記録テープカートリッジは知られている。この記録テープの先端には、リーダーピンやリーダーテープ、リーダーブロックといったリーダー部材が設けられており、そのリーダー部材をドライブ装置側に設けられた引出手段が記録テープカートリッジの開口から引き出し、それに固着されている記録テープをドライブ装置側の巻取リールに巻装させるようになっている。
【０００３】
このような構成の記録テープカートリッジでは、リーダー部材のタイプ毎に、開口の位置及びその開口を開閉するドア（遮蔽部材）のタイプが異なっている。例えばリーダー部材がリーダーピンの場合には、ドライブ装置への装填側角部の側壁に開口が形成されており、ドライブ装置への装填方向と平行な方向にスライドするドアや、所定の円周上に沿ってスライドする平面視略円弧状ドアによって、その開口が開閉されるようになっている（例えば、特許文献１参照）。
【特許文献１】特開２００４−３０７６０号公報
【発明の開示】
【発明が解決しようとする課題】
【０００４】
ところで、スライドする遮蔽部材によって開口が開閉される構成の場合、その遮蔽部材と、開口が形成されている側壁との間には、遮蔽部材をスムーズにスライドさせるためと、成形時の抜き勾配や反り等の変形により、ある程度の隙間ができる。したがって、記録テープカートリッジの不使用時（ドライブ装置に装填しない、保管時や運搬時）等において、その隙間から塵埃等が入り込むおそれがある。
【０００５】
そこで、本発明は、上記事情に鑑み、スライドする遮蔽部材と、開口が形成される側壁との間にできる隙間からの塵埃等の進入を抑制でき、防塵性を改善できる記録テープカートリッジを得ることを目的とする。
【課題を解決するための手段】
【０００６】
上記の目的を達成するために、本発明に係る請求項１に記載の記録テープカートリッジは、記録テープが巻装されたリールを回転可能に単一で収容するケースと、前記記録テープの端部に取り付けられたリーダー部材を引き出すために前記ケースの側壁に形成された開口を、該側壁の内側又は外側でスライドして開閉する遮蔽部材と、前記ケースに突設され、前記遮蔽部材が前記開口を閉塞したときに、該遮蔽部材を前記側壁側へ付勢する付勢突起と、を有することを特徴としている。
【０００７】
請求項１に記載の発明によれば、側壁の内側又は外側でスライドする遮蔽部材が、開口を閉塞したときに、その側壁側へ付勢突起により付勢される。したがって、スライドする遮蔽部材と、開口が形成される側壁との間にできる隙間を、その遮蔽部材でほぼ閉塞することができる。よって、その隙間からの塵埃等の進入を抑制することができ、記録テープカートリッジの防塵性を改善することができる。
【０００８】
また、請求項２に記載の記録テープカートリッジは、請求項１に記載の記録テープカートリッジにおいて、前記付勢突起が、前記開口を構成する前記側壁の辺縁部近傍に突設されていることを特徴としている。
【０００９】
請求項２に記載の発明によれば、付勢突起が、開口を構成する側壁の辺縁部近傍に突設されているので、遮蔽部材は、開口の閉塞時、その付勢突起により、開口を構成する側壁の辺縁部に押し付けられる。したがって、スライドする遮蔽部材と、開口を構成する側壁の辺縁部との間にできる隙間を、その遮蔽部材でほぼ閉塞することができ、その隙間からの塵埃等の進入を抑制、更には防止することができる。
【００１０】
また、請求項３に記載の記録テープカートリッジは、請求項１又は請求項２に記載の記録テープカートリッジにおいて、前記開口の閉塞時に前記側壁と前記付勢突起との間に介在する前記遮蔽部材の一部の最大板厚が、前記側壁と前記付勢突起との間隔以上の厚さであることを特徴としている。
【００１１】
請求項３に記載の発明によれば、開口の閉塞時に側壁と付勢突起との間に介在する遮蔽部材の一部の最大板厚が、側壁と付勢突起との間隔以上の厚さとされているので、スライドする遮蔽部材と、開口が形成される側壁（開口を構成する側壁の辺縁部）との間にできる隙間を、その遮蔽部材でほぼ閉塞することができる。したがって、その隙間からの塵埃等の進入を抑制、更には防止することができる。
【発明の効果】
【００１２】
以上のように、本発明によれば、スライドする遮蔽部材と、開口が形成される側壁との間にできる隙間からの塵埃等の進入を抑制でき、防塵性を改善できる記録テープカートリッジを提供することができる。
【発明を実施するための最良の形態】
【００１３】
以下、本発明の最良な実施の形態について、図面に示す実施例を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。
【００１４】
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。
【００１５】
すなわち、例えば上ケース１４及び下ケース１６には、ビスボス１５がそれぞれ各コーナー部近傍に形成されており、下ケース１６の下面側から、そのビスボス１５に図示しないビスが螺合されることにより、ケース１２が組み立てられるようになっている。そして、ケース１２の内部には、リール２０が１つだけ回転可能に収容されている。
【００１６】
このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１７】
また、リールハブ２２の底壁２８の下面には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされる。
【００１８】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００１９】
また、ケース１２の右側壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００２０】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００２１】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００２２】
また、その開口１８は、ドア５０によって開閉される。このドア５０は、開口１８を閉塞可能な大きさの略矩形板状に形成され、ケース１２の右側壁１２Ｂに沿って、その右側壁１２Ｂの内側で移動（スライド）できるように、開口１８内側の天板１４Ａ及び底板１６Ａには、ドア５０の上下端部を摺動可能に嵌入させる溝部６４が形成されている。
【００２３】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２４】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２５】
また、ドア５０の前端部には、開閉操作用の凸部５６がケース外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００２６】
また、図２〜図５で示すように、ドア５０による開口１８の閉塞時、そのドア５０の後端部（一部）の外面を、右側壁１２Ｂの内面へ押し付ける（ケース外方側へ付勢する）ための略円柱状の付勢突起１００が、右側壁１２Ｂと右前側のビスボス１５との間の上ケース１４の天板１４Ａ内面及び下ケース１６の底板１６Ａ内面の所定位置（右側壁１２Ｂの開口１８を構成する辺縁部近傍）に所定高さ（周壁１４Ｂ、１６Ｂの高さをそれぞれ超えない高さ）で一体に突設されている。
【００２７】
すなわち、ドア５０の後端部は、ドア５０の他の部位よりも板厚が厚くなるように、その内面がテーパー面５５とされており、付勢突起１００と右側壁１２Ｂの内面との間に介在したとき（開口閉塞時）の後端部の最大板厚は、付勢突起１００と右側壁１２Ｂの内面との最短距離（間隔）以上の厚さとされている。したがって、そのドア５０の後端部が、付勢突起１００と右側壁１２Ｂの内面との間に介在すると、その付勢突起１００によって右側壁１２Ｂ側へ押される。
【００２８】
これにより、そのドア５０の後端部の外面が、右側壁１２Ｂの内面に圧接（当接）することになり、ドア５０による開口１８の閉塞時、開口１８を構成する右側壁１２Ｂにおける辺縁部（ドア５０の開口開放時におけるスライド方向側の辺縁部）と、ドア５０との間にできる隙間が、そのドア５０によってほぼ閉塞される。つまり、記録テープカートリッジ１０の不使用時において、その隙間からの塵埃等の進入が抑制、更には防止されるようになっている。
【００２９】
なお、付勢突起１００は、ケース１２とは別体とされて、上ケース１４及び下ケース１６にそれぞれ取り付けられる（突設される）構成としてもよく、その場合は、摺動性の良好なポリアセタール（ＰＯＭ）で形成されるのが望ましい。また、付勢突起１００の形状は、図示の略円柱状に限定されるものではなく、例えばドア５０の後端部の内面であるテーパー面５５に、面接触（摺接）可能なテーパー面を有する形状（図示省略）としてもよい。
【００３０】
また、同様に、開口１８を構成する右側壁１２Ｂの前側壁１２Ａ側の辺縁部近傍に、ドア５０の前端部の内面を前側壁１２Ａの右端面１２Ｃへ押し付ける（付勢する）ための略円柱状の補助付勢突起１０２を所定高さ（凸部５６に干渉しない高さ）で突設してもよい。
【００３１】
すなわち、この補助付勢突起１０２は、ドア５０による開口１８の閉塞時、そのドア５０の前端部をケース内方側へ付勢できるように、天板１４Ａ内面及び底板１６Ａ内面に形成された溝部６４よりもケース内方側へ若干はみ出して突設されており、その補助付勢突起１０２によって、ドア５０の前端部の内面が、前側壁１２Ａの右端面１２Ｃに圧接（当接）されるようになっている。これにより、ドア５０の前端部の内面と前側壁１２Ａの右端面１２Ｃとの間にできる隙間が、そのドア５０によってほぼ閉塞され、その隙間からの塵埃等の進入が抑制、更には防止されるようになっている。
【００３２】
また、図２、図３で示すように、ケース１２の左後部には、記録テープＴへの記録可・不可が設定されるライトプロテクト７０が左右方向にスライド可能に設けられており、ケース１２の後側壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００３３】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の下面から突出することはない。また、図２で示すように、ケース１２の右後部には、記録容量、記録形式等の各種情報が記憶されたメモリーボードＭが所定の傾斜角度で配置されるようになっている。
【００３４】
また、図２、図３で示すように、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された円板状の制動部材８０が挿設される。
【００３５】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００３６】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３７】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３８】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００３９】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。なお、制動部材８０の材質としては、例えばポリアセタール（ＰＯＭ）が用いられ、解除部材９０の材質としては、例えばポリブチレンテレフタレート（ＰＢＴ）が用いられる。
【００４０】
以上のような構成の記録テープカートリッジ１０において、次にその作用について説明する。不使用時（保管時や運搬時等）において、記録テープカートリッジ１０の開口１８は、ドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００４１】
また、このとき、ドア５０の後端部の外面は、付勢突起１００により、右側壁１２Ｂの内面へ圧接されている。すなわち、ドア５０の後端部は、ドア５０の他の部位よりも板厚が厚くなるように、その内面がテーパー面５５とされており、その最大板厚が付勢突起１００と右側壁１２Ｂの内面との最短距離（間隔）以上の厚さとされている。
【００４２】
したがって、ドア５０による開口１８の閉塞時、そのドア５０の後端部は、そのテーパー面５５が付勢突起１００によってケース外方側へ押されることにより、右側壁１２Ｂ側へ押される。これにより、開口１８を構成する右側壁１２Ｂにおける辺縁部（ドア５０の開口開放時におけるスライド方向側の辺縁部）と、ドア５０との間にできる隙間が、そのドア５０によってほぼ閉塞され、その隙間からの塵埃等の進入が抑制、更には防止される。
【００４３】
また、このとき、開口１８を構成する右側壁１２Ｂの前側壁１２Ａ側の辺縁部近傍に突設されている補助付勢突起１０２により、ドア５０の前端部の内面が前側壁１２Ａの右端面１２Ｃに押し付けられている（圧接されている）。したがって、ドア５０の前端部の内面と前側壁１２Ａの右端面１２Ｃとの間にできる隙間も、そのドア５０によってほぼ閉塞され、その隙間からの塵埃等の進入が抑制、更には防止される。
【００４４】
一方、記録テープＴを使用する際には、前側壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右側壁１２Ｂに沿って（右側壁１２Ｂの内側で）溝部６４内を後側へ摺動し、開口１８を開放する。
【００４５】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００４６】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００４７】
そして、駆動ギアとリールギア４４とが完全に噛合した状態で、リールプレート４６が、駆動ギアの内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００４８】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００４９】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５０】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００５１】
すると、圧縮コイルスプリング９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００５２】
すると、この移動に伴って、ドア５０はコイルバネ５８の付勢力によって開口１８の閉塞方向へ摺動し、開口１８を完全に閉塞する（初期状態に復帰する）。そして、このとき、付勢突起１００により、ドア５０の後端部が右側壁１２Ｂ側へ押されるので、そのドア５０の後端部の外面が右側壁１２Ｂの内面に圧接（当接）される。これにより、ドア５０と、開口１８を構成する右側壁１２Ｂの辺縁部との間に形成される隙間が、そのドア５０によってほぼ閉塞され、その隙間からの塵埃等の進入が再度抑制、更には防止される。
【００５３】
また、このとき、ドア５０の前端部も補助付勢突起１０２によって前側壁１２Ａの右端面１２Ｃ側へ押されるので、そのドア５０の前端部の内面が前側壁１２Ａの右端面１２Ｃに圧接（当接）される。これにより、ドア５０の前端部の内面と前側壁１２Ａの右端面１２Ｃとの間に形成される隙間が、そのドア５０によってほぼ閉塞され、その隙間からの塵埃等の進入が再度抑制、更には防止される。こうして、リール２０のケース１２に対する相対回転がロックされ、開口１８が閉塞された記録テープカートリッジ１０は、ドライブ装置内から完全に排出される。
【００５４】
以上、本実施形態に係る記録テープカートリッジ１０について説明したが、本実施形態に係る記録テープカートリッジ１０は、図示の実施例に限定されるものではなく、本発明の要旨を逸脱しない範囲内において、適宜設計変更可能なものである。例えば上記実施例では、ドア５０は右側壁１２Ｂの内側でスライドして開口１８を開閉させる構成となっているが、右側壁１２Ｂの外側でスライドして開口１８を開閉させる構成となっても同様である。
【００５５】
また、図示の実施例では、上ケース１４の天板１４Ａ内面及び下ケース１６の底板１６Ａ内面にそれぞれ付勢突起１００を突設したが、付勢突起１００は、上ケース１４の天板１４Ａ内面だけ、又は下ケース１６の底板１６Ａ内面だけに突設されていてもよい。同様に、補助付勢突起１０２も、上ケース１４側だけ、又は下ケース１６側だけに突設されていてもよい。また、ドア５０の後端部のテーパー面５５は、ドア５０の高さ方向全体に形成されていなくてもよく、例えば付勢突起１００が圧接（当接）する部位だけに形成される構成としてもよい。
【００５６】
また、リール２０に巻回される記録テープＴは、情報の記録及び記録した情報の再生が可能な長尺テープ状の情報記録再生媒体として把握されるものであれば足り、リール２０を回転可能に単一で収容する記録テープカートリッジ１０が、如何なる記録再生方式の記録テープＴにも適用可能であることは言うまでもない。
【図面の簡単な説明】
【００５７】
【図１】記録テープカートリッジの概略斜視図
【図２】記録テープカートリッジを上方から見た場合の概略分解斜視図
【図３】記録テープカートリッジを下方から見た場合の概略分解斜視図
【図４】（Ａ）遮蔽部材が開口を閉塞している様子を示す概略斜視図、（Ｂ）遮蔽部材が開口を開放している様子を示す概略斜視図
【図５】遮蔽部材が開口を閉塞している様子を示す概略平面図
【符号の説明】
【００５８】
１０  記録テープカートリッジ
１２  ケース
１２Ａ  前側壁
１２Ｂ  右側壁（側壁）
１８  開口
２０  リール
３０  リーダーピン（リーダー部材）
５０  ドア（遮蔽部材）
８０  制動部材
９０  解除部材
１００  付勢突起
１０２  補助付勢突起
Ｔ  記録テープ
【図１】
2010067318.tif 000003
【図２】
2010067318.tif 000004
【図３】
2010067318.tif 000005
【図４】
2010067318.tif 000006
【図５】
2010067318.tif 000007